(57)【要約】【課題】設置コストを抑えつつ、既存放送及び新規追加された放送の視聴を可能にすること。【解決手段】光伝送システムは、第１の波長を有する第１の光信号を送信する第１の光送信部と、第２の波長を有する第２の光信号を送信する第２の光送信部と、第１の光信号及び第２の光信号を取得し、各光信号の信号強度をそれぞれ調整して出力する出力調整部と、信号強度が調整された第１の光信号と第２の光信号とを合波し合波信号を出力する合波器と、合波信号を増幅する増幅器と、増幅された第１の光信号を受信する第１の光受信部と、増幅された第２の光信号を受信する第２の光受信部とを備え、出力調整部は、第１の光受信部で受信される第１の光信号の信号強度が第１の所定値以上、かつ第２の光受信部で受信される前２の光信号の信号強度が第２の所定値以上となるように第１の光信号及び第２の光信号の信号強度を調整する。【選択図】図２
2020127072.tif 000002
【特許請求の範囲】
【請求項１】
第１の波長を有する第１の光信号を送信する第１の光送信部と、
前記第１の波長とは異なる第２の波長を有する第２の光信号を送信する第２の光送信部と、
前記第１の光信号及び前記第２の光信号を取得し、取得した各光信号の信号強度をそれぞれ調整して出力する出力調整部と、
前記出力調整部で信号強度がそれぞれ調整された前記第１の光信号と前記第２の光信号とを合波し、合波信号を出力する合波器と、
前記合波信号を増幅する増幅器と、
前記増幅器で増幅された前記合波信号に含まれる前記第１の光信号を受信する第１の光受信部と、
前記増幅器で増幅された前記合波信号に含まれる前記第２の光信号を受信する第２の光受信部と、
を備え、
前記出力調整部は、
前記第１の光受信部によって受信される前記第１の光信号の信号強度が第１の所定値以上となり、かつ、前記第２の光受信部によって受信される前記第２の光信号の信号強度が第２の所定値以上となるように、取得した前記第１の光信号及び前記第２の光信号の信号強度をそれぞれ調整する
光伝送システム。
【請求項２】
前記出力調整部は、
前記増幅器から出力される前記合波信号の信号強度が第３の所定値となるように、前記第１の光信号及び前記第２の光信号の信号強度をそれぞれ調整する
請求項１に記載の光伝送システム。
【請求項３】
前記出力調整部は、
前記合波器において生じる挿入損失、及び前記増幅器と前記第１の光受信部及び前記第２の光受信部との間において生じる伝送損失に基づいて、前記第１の光信号及び前記第２の光信号の信号強度をそれぞれ調整する
請求項１又は請求項２に記載の光伝送システム。
【請求項４】
前記第１の波長のみを通過させる第１のフィルタと、
前記第２の波長のみを通過させる第２のフィルタと、
を更に備え、
前記出力調整部は、
前記第１のフィルタを通過した前記第１の光信号及び前記第２のフィルタを通過した前記第２の光信号を取得し、取得した各光信号の信号強度をそれぞれ調整して出力する
請求項１から請求項３のうちいずれか一項に記載の光伝送システム。
【請求項５】
前記第１の光送信部から送信された前記第１の光信号と前記第２の光送信部から送信された前記第２の光信号とを合波する第２の合波器を更に備え、
前記出力調整部は、
前記第２の合波器で合波された光信号を取得し、取得した光信号を前記第１の光信号と前記第２の光信号とに分離し、分離した前記第１の光信号及び前記第２の光信号の信号強度をそれぞれ調整して出力する
請求項１から請求項４のうちいずれか一項に記載の光伝送システム。
【請求項６】
前記出力調整部は、
前記第１の所定値、前記合波器において生じる挿入損失、及び前記増幅器と前記第１の光受信部との間において生じる伝送損失に基づいて、前記増幅器から出力される前記合波信号に含まれる前記第１の光信号に必要とされる信号強度である第１の所要信号強度を算出し、
前記第２の所定値、前記合波器において生じる挿入損失、及び前記増幅器と前記第２の光受信部との間において生じる伝送損失に基づいて、前記増幅器から出力される前記合波信号に含まれる前記第２の光信号に必要とされる信号強度である第２の所要信号強度を算出し、
前記第１の所要信号強度と前記第２の所要信号強度とをそれぞれ満たすように、前記増幅器から出力される前記合波信号に含まれる前記第１の光信号及び前記第２の光信号それぞれの出力信号強度を算出し、
算出されたそれぞれの前記出力信号強度になるために必要とされる、前記増幅器に入力される前記合波信号に含まれる前記第１の光信号及び前記第２の光信号のそれぞれの入力信号強度を算出し、
取得した前記第１の光信号及び前記第２の光信号の信号強度の測定結果と、算出されたそれぞれの前記入力信号強度とに基づいて、取得した前記第１の光信号及び前記第２の光信号のそれぞれに対する信号強度の調整量を算出する
請求項１から請求項５のうちいずれか一項に記載の光伝送システム。
【請求項７】
第１の光受信部及び第２の光受信部へそれぞれ送信される第１の波長を有する第１の光信号及び前記第１の波長とは異なる第２の波長を有する第２の光信号を増幅する増幅器に入力される合波信号に含まれる、前記第１の光信号及び前記第２の光信号それぞれの信号強度を調整する出力調整装置であって、
前記第１の光信号を取得する第１の取得部と、
前記第２の光信号を取得する第２の取得部と、
前記第１の取得部によって取得された前記第１の光信号の信号強度を測定する第１の測定部と、
前記第２の取得部によって取得された前記第２の光信号の信号強度を測定する第２の測定部と、
前記第１の測定部による測定の測定結果及び前記第２の測定部による測定の測定結果に基づいて、前記第１の光受信部によって受信される前記第１の光信号の信号強度が第１の所定値以上となり、かつ、前記第２の光受信部によって受信される前記第２の光信号の信号強度が第２の所定値以上となり、かつ、前記増幅器から出力される合波信号の信号強度が第３の所定値となるように、前記第１の取得部によって取得された前記第１の光信号の信号強度及び前記第２の取得部によって取得された前記第２の光信号の信号強度に対するそれぞれの調整量を計算する調整量計算部と、
前記調整量計算部によって計算されたそれぞれの前記調整量に基づいて、前記第１の取得部によって取得された前記第１の光信号の信号強度と、前記第２の取得部によって取得された前記第２の光信号の信号強度とを調整し、前記信号強度が調整された前記第１の光信号及び前記第２の光信号を出力する信号強度調整部と、
を備える出力調整装置。
【発明の詳細な説明】
【技術分野】
【０００１】
本発明は、光伝送システム、及び出力調整装置に関する。
【背景技術】
【０００２】
加入者宅へ映像を配信するネットワークシステムとして、例えばＦＴＴＨ（Fiber to the Home）型ＣＡＴＶ（Cable television；ケーブルテレビ）システムが知られている。図７に、従来のＦＴＴＨ型ＣＡＴＶシステムのネットワーク構成の一例を示す。図７に示すように、従来のＦＴＴＨ型ＣＡＴＶシステムは、例えば、ヘッドエンドと、光送信部と、中継用アンプと、アクセス用アンプと、各々の加入者宅等に設置される光受信部と、を含んで構成される。
【０００３】
ヘッドエンドは、放送局から送信される映像信号を乗せた電波を地上の送信塔や人工衛星等を介して受信し、受信した電波に対して増幅等の調整を行う。そして、ヘッドエンドは、当該映像信号に基づく電気信号を光送信部へ出力する。光送信部は、取得した電気信号を光信号に変換し、当該光信号を光ファイバで構築された光伝送路へ送出する。光伝送路は、中継ネットワーク（以下、「中継ＮＷ」という。）の区間とアクセスネットワーク（以下、「アクセスＮＷ」という。）の区間とに分けられる。中継ＮＷは、光送信部とアクセスＮＷとの間をつなぐ通信ネットワークである。中継ＮＷでは、伝送距離が長距離に及ぶ場合等において、増幅器（以下、「中継用アンプ」という。）が多段構成される。各々の中継用アンプは、増幅した光信号を、後段の他の中継用アンプへ送出したり、アクセスＮＷ区間内の機器へ送出したり、あるいは、光カプラによって光信号を分岐させて後段の他の中継用アンプ及びアクセスＮＷ区間内の機器の双方へ送出したりする。一方、アクセスＮＷは、中継ＮＷと光信号を終端する各光受信部との間をつなぐ通信ネットワークである。アクセスＮＷでは、中継ＮＷから出力された光信号を複数の加入者宅に設置された光受信部へ分配するために、一般的に、ＰＯＮ（Passive Optical Network；受動光ネットワーク）構成が適用される。更に、図７に示すように、ＰＯＮ構成による光信号の分配に伴う損失及び中継用アンプによる光信号の分岐に伴う損失等の補償を目的として、アクセスＮＷにおいても増幅器（以下、「アクセス用アンプ」という。）が用いられる場合がある。
【０００４】
上記のようなネットワーク構成を有する従来のＦＴＴＨ型ＣＡＴＶシステムでは、光伝送方式として、例えばＦＭ（Frequency Modulation；周波数変調）一括変換方式が用いられる（非特許文献１参照）。光送信部は、ヘッドエンドから出力された、周波数多重された多チャンネル映像の電気信号を受信し、当該電気信号を一括して１チャンネルの広帯域なＦＭ信号に変換する。更に、光送信部は、変換されたＦＭ信号を、強度変調によって一つの波長λからなる光信号に変換し、光伝送路へ送出する。一方、光受信部は、この波長λの光信号を受光すると、当該光信号を、電気信号への変換により広帯域ＦＭ信号に変換し、復調する。これにより、光受信部は、受光した光信号から、周波数多重された多チャンネル映像の電気信号を取り出すことができる。
【０００５】
従来、本国においては、上記のようなネットワーク構成及び光伝送方式によって、多チャンネルの映像配信が実現されている。配信される映像としては、右旋円偏波を用いて人工衛星から地上へ配信されるＢＳ（Broadcasting Satellites）放送及び１１０度ＣＳ（Communication Satellites）放送のほか、地上デジタル放送等がある。更に、２０１８年１２月から、左旋円偏波を用いて人工衛星から地上へ配信されるＢＳ放送（中間周波数：２２２４〜２６８１［ＭＨｚ（メガヘルツ）］）と１１０度ＣＳ放送（中間周波数：２７４８〜３２２４［ＭＨｚ］）とが、新４Ｋ・８Ｋ衛星放送として開始されている。この新４Ｋ・８Ｋ衛星放送で使用される中間周波数帯は、既存放送で使用されている中間周波数帯とは異なる。そのため、既存の放送設備が新４Ｋ・８Ｋ衛星放送の中間周波数に対応していない場合等において、既存の放送設備のみでは新４Ｋ・８Ｋ衛星放送の配信及び視聴を実現することができない。
【０００６】
これに対し、既存放送の配信及び視聴に加えて更に新４Ｋ・８Ｋ衛星放送の配信及び視聴を実現する方法の一つとして、新４Ｋ・８Ｋ衛星放送に対応した中継ＮＷ及びその上位設備を、既存放送用の設備とは別に設置する方法が考えられる。図８に、この方法を用いた場合におけるネットワーク構成の一例を示す。図８に示すように、このネットワーク構成では、図７に示したネットワーク構成に加えて、新４Ｋ・８Ｋ衛星放送に対応したヘッドエンド、光送信部、中継用アンプ、及びＷＤＭ（Wavelength Division Multiplexing；波長分割多重）フィルタが新たに設置される。ＷＤＭフィルタは、既存放送用の中継用アンプから出力された光信号と新４Ｋ・８Ｋ衛星放送に対応した中継用アンプから出力された光信号とを合波し、合波された光信号（以下、「合波信号」という。）を既存のアクセス用アンプへ送出する。ここで、既存放送用の中継用アンプから出力された出力光の波長を波長λ１、及び、新４Ｋ・８Ｋ衛星放送に対応した中継用アンプから出力された出力光の波長を波長λ２とし、波長λ１と波長λ２とは互いに異なる波長であるものとする。このとき、既存放送用の光受信部は、波長λ１の光信号を受光することはできるが、波長λ２の光信号は受光することができない場合がある。このような場合において視聴者による新４Ｋ・８Ｋ衛星放送の視聴を可能にするためには、波長λ２の光信号を受光することができる光受信部を新たに設置する必要がある。なお、新たに設置される光受信部として、波長λ２の光信号だけでなく波長λ１の光信号も受光することができる光受信部が用いられるならば、視聴者は新たに設置された光受信部のみで、既存放送と新４Ｋ・８Ｋ衛星放送との双方の放送を視聴することができる。また、上記のネットワーク構成によれば、既存放送用のネットワーク設備を流用することができるため、新４Ｋ・８Ｋ衛星放送の配信及び視聴を実現するために必要となる機器の設置コストを抑制することができる。
【０００７】
ところで、光通信において用いられる一般的な増幅器として、例えばＥＤＦＡ（Erbium-Doped Fiber Amplifier；エルビウム添加ファイバ増幅器）等の光ファイバ増幅器がある。この光ファイバ増幅器は、例えば図８に示すネットワーク構成におけるアクセス用アンプのように複数の波長の光信号が入力される場合であっても、一括して光信号のまま増幅することができるという特徴がある。また、ＡＰＣ（Automatic Power Control；自動パワー制御）機能が搭載された光ファイバ増幅器は、当該光ファイバ増幅器への光信号の入力レベルが変動する場合であっても、変動が許容範囲であるならば光信号の出力レベルを一定に保つように制御することができる。但し、当該ＡＰＣ機能は、入力される光信号が波長の異なる複数の光信号の合波信号であっても、当該合波信号に対する出力レベルを一定にするように制御するだけである。すなわち、例えば図８に示すように、アクセス用アンプへ入力される光信号が波長λ１の光信号と波長λ２の光信号との合波信号である場合、ＡＰＣ機能は、あくまで当該合波信号の出力レベルを一定にする制御を行うだけであって、波長λ１の光信号の出力レベルと波長λ２の光信号の出力レベルとをそれぞれ一定にする制御を行うわけではない。
【０００８】
上述したように図８に示す新４Ｋ・８Ｋ衛星放送に対応したネットワーク構成では、図７に示す既存放送用のネットワーク構成におけるアクセス用アンプを流用することが想定されていることから、図８に示すアクセス用アンプから出力される合波信号の出力レベルと、図７のアクセス用アンプから出力される光信号の出力レベルとは、同等である。また、図８に示すネットワーク構成では、アクセス用アンプの上位設備についても図７に示すネットワーク構成におけるネットワーク設備を流用することが想定されていることから、図８に示すネットワーク構成におけるアクセス用アンプへ入力される合波信号の入力レベルのうち波長λ１の光信号分に相当する入力レベルと、図７に示すネットワーク構成におけるアクセス用アンプへ入力される波長λ１の光信号の入力レベルとは、同等である。これにより、図８のネットワーク構成におけるアクセス用アンプから出力される光信号（合波信号）の出力レベルのうち波長λ１の（既存放送用の）光信号分に相当する出力レベルは、図７に示すネットワーク構成におけるアクセス用アンプから出力される（既存放送用の）光信号の出力レベルと比べて必然的に小さな値になってしまう。
【０００９】
また、図８に示すネットワーク構成におけるアクセス用アンプへ入力される合波信号の入力レベルに含まれる波長λ１の光信号分の入力レベル、及び波長λ２の光信号分の入力レベルは、常に一定であるとは限らず、時間的にそれぞれ変動する場合がある。このように双方の入力レベルが変動したとしても、双方の入力レベルの合計値（すなわち、合波信号の入力レベル）がアクセス用アンプの仕様上の許容範囲内であれば、アクセス用アンプは、光信号（合波信号）の出力レベルを一定に保つことはできる。しかしながら、上記の変動に伴って、アクセス用アンプへ入力される合波信号の入力レベルに含まれる、波長λ１の光信号分の入力レベルと波長λ２の光信号分の入力レベルとの比が変動することによって、アクセス用アンプから出力される合波信号に含まれる波長λ１の光信号分の出力レベルと波長λ２の光信号分の出力レベルとの比も同様に変動する。そのため、たとえ双方の光信号の入力レベルの合計値がアクセス用アンプの仕様上の許容範囲内であったとしても、波長λ１の光信号分の出力レベルと波長λ２の光信号分の出力レベルの少なくとも一方が、例えば加入者宅等に設置された光受信部において受信することができない出力レベルにまで低下する可能性がある。
【先行技術文献】
【非特許文献】
【００１０】
【非特許文献１】"ITU-T J.185: Transmission equipment for transferring multi-channel television signals over optical access networks by frequency modulation conversion," International Telecommunication Union, June 2012.
【発明の概要】
【発明が解決しようとする課題】
【００１１】
このように、ＡＰＣ機能が搭載された既存放送用のアクセス用アンプを流用して図８に示すような新４Ｋ・８Ｋ衛星放送に対応したネットワーク構成を構築する場合、当該アクセス用アンプから出力される光信号（合波信号）の出力レベルに含まれる波長λ１の光信号分の出力レベル及び波長λ２の光信号分の出力レベルの少なくとも一方が、所望の出力レベルに満たなくなる場合が生じうる。これは、上述したように、当該アクセス用アンプに対して新たに波長λ２の（新４Ｋ・８Ｋ衛星放送用の）光信号の入力が追加されること、及び、当該アクセス用アンプへ入力される合波信号の入力レベルに含まれる波長λ１の光信号分の入力レベル及び波長λ２の光信号分の入力レベルがそれぞれ変動しうることに起因する。これにより、例えば各々の加入者宅等に設置された光受信部において、波長λ１の光信号の受信レベルと波長λ２の光信号の受信レベルとの少なくとも一方が視聴可能な受信レベルに達しなくなり、視聴者が所望の映像を視聴することができない場合が生じるという課題がある。
【００１２】
本発明は、上記のような技術的背景に鑑みてなされたものであり、設置コストを抑えつつ、既存放送及び新規追加された放送の視聴を可能にする技術を提供することを目的とする。
【課題を解決するための手段】
【００１３】
本発明の一態様は、第１の波長を有する第１の光信号を送信する第１の光送信部と、前記第１の波長とは異なる第２の波長を有する第２の光信号を送信する第２の光送信部と、前記第１の光信号及び前記第２の光信号を取得し、取得した各光信号の信号強度をそれぞれ調整して出力する出力調整部と、前記出力調整部で信号強度がそれぞれ調整された前記第１の光信号と前記第２の光信号とを合波し、合波信号を出力する合波器と、前記合波信号を増幅する増幅器と、前記増幅器で増幅された前記合波信号に含まれる前記第１の光信号を受信する第１の光受信部と、前記増幅器で増幅された前記合波信号に含まれる前記第２の光信号を受信する第２の光受信部と、を備え、前記出力調整部は、前記第１の光受信部によって受信される前記第１の光信号の信号強度が第１の所定値以上となり、かつ、前記第２の光受信部によって受信される前記第２の光信号の信号強度が第２の所定値以上となるように、取得した前記第１の光信号及び前記第２の光信号の信号強度をそれぞれ調整する光伝送システムである。
【００１４】
また、本発明の一態様は、上記の光伝送システムであって、前記出力調整部は、前記増幅器から出力される前記合波信号の信号強度が第３の所定値となるように、前記第１の光信号及び前記第２の光信号の信号強度をそれぞれ調整する。
【００１５】
また、本発明の一態様は、上記の光伝送システムであって、前記出力調整部は、前記合波器において生じる挿入損失、及び前記増幅器と前記第１の光受信部及び前記第２の光受信部との間において生じる伝送損失に基づいて、前記第１の光信号及び前記第２の光信号の信号強度をそれぞれ調整する。
【００１６】
また、本発明の一態様は、上記の光伝送システムであって、前記第１の波長のみを通過させる第１のフィルタと、前記第２の波長のみを通過させる第２のフィルタと、を更に備え、前記出力調整部は、前記第１のフィルタを通過した前記第１の光信号及び前記第２のフィルタを通過した前記第２の光信号を取得し、取得した各光信号の信号強度をそれぞれ調整して出力する。
【００１７】
また、本発明の一態様は、上記の光伝送システムであって、前記第１の光送信部から送信された前記第１の光信号と前記第２の光送信部から送信された前記第２の光信号とを合波する第２の合波器を更に備え、前記出力調整部は、前記第２の合波器で合波された光信号を取得し、取得した光信号を前記第１の光信号と前記第２の光信号とに分離し、分離した前記第１の光信号及び前記第２の光信号の信号強度をそれぞれ調整して出力する。
【００１８】
また、本発明の一態様は、上記の光伝送システムであって、前記出力調整部は、前記第１の所定値、前記合波器において生じる挿入損失、及び前記増幅器と前記第１の光受信部との間において生じる伝送損失に基づいて、前記増幅器から出力される前記合波信号に含まれる前記第１の光信号に必要とされる信号強度である第１の所要信号強度を算出し、前記第２の所定値、前記合波器において生じる挿入損失、及び前記増幅器と前記第２の光受信部との間において生じる伝送損失に基づいて、前記増幅器から出力される前記合波信号に含まれる前記第２の光信号に必要とされる信号強度である第２の所要信号強度を算出し、前記第１の所要信号強度と前記第２の所要信号強度とをそれぞれ満たすように、前記増幅器から出力される前記合波信号に含まれる前記第１の光信号及び前記第２の光信号それぞれの出力信号強度を算出し、算出されたそれぞれの前記出力信号強度になるために必要とされる、前記増幅器に入力される前記合波信号に含まれる前記第１の光信号及び前記第２の光信号のそれぞれの入力信号強度を算出し、取得した前記第１の光信号及び前記第２の光信号の信号強度の測定結果と、算出されたそれぞれの前記入力信号強度とに基づいて、取得した前記第１の光信号及び前記第２の光信号のそれぞれに対する信号強度の調整量を算出する。
【００１９】
また、本発明の一態様は、第１の光受信部及び第２の光受信部へそれぞれ送信される第１の波長を有する第１の光信号及び前記第１の波長とは異なる第２の波長を有する第２の光信号を増幅する増幅器に入力される合波信号に含まれる、前記第１の光信号及び前記第２の光信号それぞれの信号強度を調整する出力調整装置であって、前記第１の光信号を取得する第１の取得部と、前記第２の光信号を取得する第２の取得部と、前記第１の取得部によって取得された前記第１の光信号の信号強度を測定する第１の測定部と、前記第２の取得部によって取得された前記第２の光信号の信号強度を測定する第２の測定部と、前記第１の測定部による測定の測定結果及び前記第２の測定部による測定の測定結果に基づいて、前記第１の光受信部によって受信される前記第１の光信号の信号強度が第１の所定値以上となり、かつ、前記第２の光受信部によって受信される前記第２の光信号の信号強度が第２の所定値以上となり、かつ、前記増幅器から出力される合波信号の信号強度が第３の所定値となるように、前記第１の取得部によって取得された前記第１の光信号の信号強度及び前記第２の取得部によって取得された前記第２の光信号の信号強度に対するそれぞれの調整量を計算する調整量計算部と、前記調整量計算部によって計算されたそれぞれの前記調整量に基づいて、前記第１の取得部によって取得された前記第１の光信号の信号強度と、前記第２の取得部によって取得された前記第２の光信号の信号強度とを調整し、前記信号強度が調整された前記第１の光信号及び前記第２の光信号を出力する信号強度調整部と、を備える出力調整装置である。
【発明の効果】
【００２０】
本発明により、設置コストを抑えつつ、既存放送及び新規追加された放送の視聴を可能にする技術を提供することができる。
【図面の簡単な説明】
【００２１】
【図１】本発明の第１の実施形態に係る新４Ｋ・８Ｋ衛星放送対応ＦＴＴＨ型ＣＡＴＶシステムのネットワーク構成を示すブロック図である。
【図２】本発明の第１の実施形態に係る出力調整装置の機能構成を示すブロック図である。
【図３】本発明の第２の実施形態に係る出力調整装置の機能構成を示すブロック図である。
【図４】新４Ｋ・８Ｋ衛星放送対応ＦＴＴＨ型ＣＡＴＶシステムのネットワーク構成の一例を示すブロック図である。
【図５】本発明の第３の実施形態に係る新４Ｋ・８Ｋ衛星放送対応ＦＴＴＨ型ＣＡＴＶシステムのネットワーク構成を示すブロック図である。
【図６】本発明の第３の実施形態に係る出力調整装置の機能構成を示すブロック図である。
【図７】従来のＦＴＴＨ型ＣＡＴＶシステムのネットワーク構成の一例を示すブロック図である。
【図８】新４Ｋ・８Ｋ衛星放送対応ＦＴＴＨ型ＣＡＴＶシステムのネットワーク構成の一例を示すブロック図である。
【発明を実施するための形態】
【００２２】
＜第１の実施形態＞
以下、本発明の第１の実施形態について、図面を参照しながら説明する。
【００２３】
［ネットワーク構成］
以下、本発明の第１の実施形態に係る、新４Ｋ・８Ｋ衛星放送に対応したＦＴＴＨ型ＣＡＴＶシステム１のネットワーク構成について説明する。図１は、当該ネットワーク構成の一例を示すブロック図である。図１に示すように、ＦＴＴＨ型ＣＡＴＶシステム１（光伝送システム）は、既存放送用のヘッドエンド１１、光送信部１２、及び中継用アンプ１３と、新４Ｋ・８Ｋ衛星放送に対応したヘッドエンド２１、光送信部２２、及び中継用アンプ２３と、出力調整装置３０と、ＷＤＭフィルタ４０と、アクセス用アンプ５０と、既存放送用の光受信部６１と、新４Ｋ・８Ｋ衛星放送に対応した光受信部６２と、を含んで構成される。
【００２４】
ヘッドエンド１１は、放送局から送信される既存放送用の映像信号を乗せた電波を地上の送信塔や人工衛星等を介して受信し、受信した電波に対して増幅等の調整を行う。そして、ヘッドエンド１１は、当該映像信号に基づく電気信号を光送信部１２へ送出する。光送信部１２（第１の光送信部）は、受信した電気信号を波長λ１の光信号に変換し、当該光信号を光ファイバで構築された光伝送路７０へ送出する。
【００２５】
ヘッドエンド２１は、放送局から送信される新４Ｋ・８Ｋ衛星放送の映像信号を乗せた電波を地上の送信塔や人工衛星等を介して受信し、受信した電波に対して増幅等の調整を行う。そして、ヘッドエンド２１は、当該映像信号に基づく電気信号を光送信部２２へ送出する。光送信部２２（第２の光送信部）は、受信した電気信号を波長λ２の光信号に変換し、当該光信号を光伝送路７０へ送出する。ここで、波長λ１と波長λ２とは互いに異なる波長であるものとする。
【００２６】
光伝送路７０は、中継ＮＷ７１の区間とアクセスＮＷ７２の区間とに分けられる。中継ＮＷ７１は、光送信部１２及び光送信部２２とアクセスＮＷとの間をそれぞれつなぐ通信ネットワークである。
【００２７】
中継ＮＷ７１では、既存放送用の中継用アンプ１３及び新４Ｋ・８Ｋ衛星放送用の中継用アンプ２３がそれぞれ多段構成される。初段の中継用アンプ１３には、光送信部１２から送出された波長λ１の光信号が入力される。各々の中継用アンプ１３は、増幅した光信号を、後段の他の中継用アンプ１３へ送出したり、アクセスＮＷ７２の区間内の出力調整装置３０へ送出したりする。初段の中継用アンプ２３には、光送信部２２から送出された波長λ２の光信号が入力される。各々の中継用アンプ２３は、増幅した光信号を、後段の他の中継用アンプ２３へ送出したり、アクセスＮＷ７２の区間内の出力調整装置３０へ送出したりする。
【００２８】
一方、アクセスＮＷでは、一般的に、中継用アンプ１３及び中継用アンプ２３から受信した光信号を複数の加入者宅へ分配するためにＰＯＮ構成が適用される。
【００２９】
出力調整装置３０（出力調整部）は、中継用アンプ１３から送出された波長λ１の光信号と、中継用アンプ２３から送出された波長λ２の光信号と、を取得する。出力調整装置３０は、取得した双方の光信号の信号レベル（信号強度）を必要に応じてそれぞれ調整し、当該双方の光信号をＷＤＭフィルタ４０へそれぞれ調整された出力レベルで出力する。
【００３０】
ＷＤＭフィルタ４０（合波器）は、出力調整装置３０から出力された波長λ１の光信号と波長λ２の光信号とを合波し、合波信号をアクセス用アンプ５０へ送出する。
【００３１】
アクセス用アンプ５０は、ＰＯＮ構成による光信号の分配に伴う損失の補償等を目的として設置された増幅器である。アクセス用アンプ５０は、ＷＤＭフィルタ４０から送出された光信号（合波信号）を増幅する。そして、アクセス用アンプ５０は、増幅された光信号を、当該アクセス用アンプ５０の後段に構築されたＰＯＮを介して光受信部６１及び光受信部６２へ送出する。光受信部６１及び光受信部６２は、例えば各々の加入者宅等に設置され、それぞれ波長λ１及び波長λ２の光信号を終端する。
【００３２】
光受信部６１（第１の光受信部）は、既存放送用の中継用アンプ１３から出力された波長λ１（第１の波長）の光信号（第１の光信号）を受信することができる。また、光受信部６２（第２の光受信部）は、新４Ｋ・８Ｋ衛星放送に対応した中継用アンプ２３から出力された波長λ２（第２の波長）の光信号（第２の光信号）を受信することができる。なお、図１においては、図面を見易くするため、光受信部６１と光受信部６２とをそれぞれ１つずつ図示しているが、実際には光受信部６１及び光受信部６２のうち少なくとも一方が複数の加入者宅にそれぞれ設置されている。
【００３３】
［出力調整装置の機能構成］
以下、本発明の第１の実施形態に係るＦＴＴＨ型ＣＡＴＶシステム１の出力調整装置３０の機能構成について説明する。図２は、出力調整装置３０の機能構成を示すブロック図である。図２に示すように、出力調整装置３０は、既存放送用の光信号分岐部３１１及び受光レベル測定部３１２と、新４Ｋ・８Ｋ衛星放送用の光信号分岐部３２１及び受光レベル測定部３２２と、設定テーブル記憶部３３０と、出力レベル計算部３４０と、出力レベル調整部３５０と、を含んで構成される。
【００３４】
光信号分岐部３１１（第１の取得部）は、中継用アンプ１３から送出された、既存放送用の波長λ１の光信号を取得する。光信号分岐部３１１は、取得した光信号を受光レベル測定部３１２と出力レベル調整部３５０とへそれぞれ出力する。光信号分岐部３１１は、例えば光カプラを含んで構成される。
【００３５】
受光レベル測定部３１２（第１の測定部）は、光信号分岐部３１１から出力された、既存放送用の波長λ１の光信号を取得する。受光レベル測定部３１２は、取得した光信号の受光レベルを測定する。そして、受光レベル測定部３１２は、測定結果を示す情報を出力レベル計算部３４０へ出力する。
【００３６】
光信号分岐部３２１（第２の取得部）は、中継用アンプ２３から送出された、新４Ｋ・８Ｋ衛星放送用の波長λ２の光信号を取得する。光信号分岐部３２１は、取得した光信号を受光レベル測定部３２２と出力レベル調整部３５０とへそれぞれ出力する。光信号分岐部３２１は、例えば光カプラを含んで構成される。
【００３７】
受光レベル測定部３２２（第２の測定部）は、光信号分岐部３２１から出力された、新４Ｋ・８Ｋ衛星放送用の波長λ２の光信号を取得する。受光レベル測定部３２２は、取得した光信号の受光レベルを測定する。そして、受光レベル測定部３２２は、測定結果を示す情報を出力レベル計算部３４０へ出力する。
【００３８】
設定テーブル記憶部３３０は、設定テーブルを記憶する。設定テーブル記憶部３３０は、例えば、ＲＡＭ（Random Access Memory；読み書き可能なメモリ）、フラッシュメモリ、ＥＥＰＲＯＭ（Electrically Erasable Programmable Read Only Memory）、及びＨＤＤ（Hard Disk Drive）等の記憶媒体、又はこれらの記憶媒体の任意の組み合わせによって構成される。
【００３９】
設定テーブルとは、出力レベルの調整（調整量の算出及び決定）に必要となる各種パラメータのパラメータ値を含む情報である。なお、上記の各種パラメータには、例えば以下の（Ａ）〜（Ｅ）のパラメータが含まれる。
【００４０】
（Ａ）アクセス用アンプ５０における、光信号（合波信号）の仕様上の出力レベル又は設定上の出力レベル（第３の所定値）。
（Ｂ）光受信部６１における、波長λ１の光信号の最小受光感度（第１の所定値）、及び、光受信部６２における、波長λ２の光信号の最小受光感度（第２の所定値）。
（Ｃ）アクセス用アンプ５０と光受信部６１との間の光ファイバ伝送における、波長λ１の光信号についての伝送損失、及び、アクセス用アンプ５０と光受信部６２との間の光ファイバ伝送における、波長λ２の光信号についての伝送損失。
（Ｄ）ＷＤＭフィルタ４０における、波長λ１の光信号についての挿入損失、及び、波長λ２の光信号についての挿入損失。
（Ｅ）光信号分岐部３１１における波長λ１の光信号の分岐損失、及び、光信号分岐部３２１における波長λ２の光信号の分岐損失。
【００４１】
なお、設定テーブル記憶部３３０に記憶された設定テーブルに対してパラメータ値を設定させるための構成としては、例えば、出力調整装置３０に接続された外部制御機器（図示せず）を介して設定が行われるような構成にしてもよい。あるいは、例えば、設定テーブルへのパラメータ値の設定を指示するための制御フレームが予め定義され、当該制御フレームが、上位のネットワーク機器から伝送路を介して出力調整装置３０へ送信されることによって設定が行われるような構成にしてもよい。
【００４２】
なお、本実施形態においては、２種類の波長（波長λ１及び波長λ２）の光信号を用いるＦＴＴＨ型ＣＡＴＶシステムを想定していることから、上記（Ｂ）〜（Ｅ）のパラメータについては、波長λ１の光信号と波長λ２の光信号についての各パラメータ値がそれぞれ設定テーブルに設定される。そのため、３種類以上の波長の光信号を用いるＦＴＴＨ型ＣＡＴＶシステムである場合には、これら３種類の波長の光信号についての各パラメータ値がそれぞれ設定テーブルに設定されることが望ましい。
【００４３】
出力レベル計算部３４０（調整量計算部）は、受光レベル測定部３１２から出力された、既存放送用の波長λ１の光信号の受光レベルの測定結果を示す情報を取得する。また、出力レベル計算部３４０は、受光レベル測定部３２２から出力された、新４Ｋ・８Ｋ衛星放送用の波長λ２の光信号の受光レベルの測定結果を示す情報を取得する。また、出力レベル計算部３４０は、設定テーブル記憶部３３０に記憶された設定テーブルに設定されたパラメータ値を取得する。
【００４４】
そして、出力レベル計算部３４０は、受光レベル測定部３１２から取得した測定結果を示す情報、受光レベル測定部３２２から取得した測定結果を示す情報、及び設定テーブル記憶部３３０から取得したパラメータ値に基づいて、波長λ１の光信号の出力レベルに関する調整量と、波長λ２の光信号の出力レベルに関する調整量とを、それぞれ計算する。なお、当該調整量の計算方法については後述する。出力レベル計算部３４０は、波長λ１の光信号及び波長λ２の光信号の出力レベルに関するそれぞれの調整量の計算結果を示す情報を、出力レベル調整部３５０へ出力する。
【００４５】
出力レベル調整部３５０（信号強度調整部）は、出力レベル計算部３４０から出力された、波長λ１の光信号及び波長λ２の光信号の出力レベルに関するそれぞれの調整量の計算結果を示す情報を取得する。これにより、出力レベル調整部３５０は、波長λ１の光信号の出力レベルに対する調整量、及び、波長λ２の光信号の出力レベルに対する調整量をそれぞれ認識する。
【００４６】
また、出力レベル調整部３５０は、光信号分岐部３１１から出力された、既存放送用の波長λ１の光信号を取得し、取得した光信号をＷＤＭフィルタ４０へ出力する。ここで、出力レベル調整部３５０は、ＷＤＭフィルタ４０へ出力する波長λ１の光信号の出力レベルに対して、上記認識した調整量に応じて増幅又は減衰する調整を行う。また、出力レベル調整部３５０は、光信号分岐部３２１から出力された、新４Ｋ・８Ｋ衛星放送用の波長λ２の光信号を取得し、取得した光信号をＷＤＭフィルタ４０へ出力する。ここで、出力レベル調整部３５０は、ＷＤＭフィルタ４０へ出力する波長λ２の光信号の出力レベルに対して、上記認識した調整量に応じて増幅又は減衰する調整を行う。
【００４７】
［調整量の計算手順］
以下、出力レベル計算部３４０によって行われる、光信号の出力レベルの調整量の計算手順の一例について説明する。出力レベル計算部３４０は、以下の手順１〜４に沿って計算を行う。
【００４８】
・手順１．アクセス用アンプ５０からの波長ごとの所要出力レベルの算出
出力レベル計算部３４０は、光受信部６１において波長λ１の光信号の受光レベルが当該光受信部６１の波長λ１の光信号の最小受光感度以上となるようにするために必要となる、アクセス用アンプ５０における波長λ１の光信号の所要出力レベル（第１の所要信号強度）を算出する。また、出力レベル計算部３４０は、光受信部６２において波長λ２の光信号の受光レベルが当該光受信部６２の波長λ２の光信号の最小受光感度以上となるようにするために必要となる、アクセス用アンプ５０における波長λ２の光信号の所要出力レベル（第２の所要信号強度）をそれぞれ算出する。このとき、出力レベル計算部３４０は、上記設定テーブルに設定された（Ｂ）及び（Ｃ）のパラメータのパラメータ値に基づき、各光受信部（光受信部６１及び光受信部６２）それぞれの最小受光感度と、アクセス用アンプ５０と各光受信部との間のそれぞれの距離に応じた伝送損失とを考慮して、それぞれの所要出力レベルを算出する。
【００４９】
・手順２．アクセス用アンプ５０からの波長ごとの出力レベルの決定
出力レベル計算部３４０は、アクセス用アンプ５０から出力される光信号（合波信号）の出力レベル（すなわち、波長λ１の光信号の出力レベルと波長λ２の光信号の出力レベルとの和）が、上記設定テーブルに設定された（Ａ）のパラメータのパラメータ値（ここでは、Ｚ［ｍＷ（ミリワット）］とする。）と等しくなるように、アクセス用アンプ５０における、波長λ１の光信号の出力レベル（ここでは、Ｘ［ｍＷ］とする。）と波長λ２の光信号の出力レベル（ここでは、Ｙ［ｍＷ］とする。）とを決定する。すなわち、Ｚ＝Ｘ＋Ｙである。このとき、出力レベル計算部３４０は、波長λ１の光信号の出力レベルが上記手順１によって算出された波長λ１の光信号の所要出力レベル以上であり、かつ、波長λ２の光信号分の出力レベルが上記手順１によって算出された波長λ２の光信号の所要出力レベル以上であるという条件を満たすように、それぞれの出力レベル（出力信号強度）を決定する。
【００５０】
なお、上記の条件を満たす、Ｘ及びＹの値の組み合わせは無数に存在しうる。用いるＸ及びＹの値の組み合わせを決定する方法としては、例えば、手順１によって算出された波長λ１の光信号の所要出力レベル（ここでは、Ｘ’［ｍＷ］とする。）と波長λ２の光信号の所要出力レベル（ここでは、Ｙ’［ｍＷ］とする。）との比と、Ｘの値とＹの値との比と、を一致させるようにＸ及びＹの値を決定する方法を用いることができる。具体的には、以下の（１）式によってＸ及びＹの値が決定される。
【００５１】
Ｘ＝Ｚ×（Ｘ’／（Ｘ’＋Ｙ’））
Ｙ＝Ｚ×（Ｙ’／（Ｘ’＋Ｙ’））    ・・・（１）
【００５２】
あるいは、用いるＸ及びＹの値の組み合わせを決定するその他の決定方法として、例えば、Ｙの値を波長λ２の光信号の所要出力レベルであるＹ’として、Ｘの値を、Ｘ＝Ｚ−Ｙ’によって算出された値に決定する方法が用いられてもよい。この後者の決定方法では、波長λ２の光信号の出力レベルに対しては最低限の出力レベル（すなわち、所要出力レベル）しか割り振られないため、相対的に波長λ１の光信号の出力レベルに対してより多くの出力レベルが割り振られる。
【００５３】
上述したように、本実施形態におけるネットワーク構成（図１）では波長λ２の光信号が入力されることから、従来のネットワーク構成（図７）の場合と比べて、アクセス用アンプ５０から出力される合波信号の出力レベルにおける、波長λ１の光信号分の出力レベルが必然的に低下する。これにより、例えば、従来のネットワーク構成から本実施形態におけるネットワーク構成へ拡張された際に（すなわち、新４Ｋ・８Ｋ衛星放送への対応がなされた際に）、従来のネットワーク構成では視聴可能であった既存放送を視聴することができなくなってしまう視聴者が発生しうる。なお、このような視聴者は、とくに信号減衰による影響が大きい遠方の視聴者により多く発生する。このような視聴者の発生を極力抑えるためには、アクセス用アンプ５０から出力される合波信号の出力レベルにおいて、波長λ１の光信号分の出力レベルをより大きくする（すなわち、合波信号の出力レベルの値により近づける）ことが必要である。したがって、この後者の決定方法は、上記のような視聴者の発生を抑制することに対して有効であると言える。
【００５４】
・手順３．アクセス用アンプ５０への波長ごとの入力レベルの決定
出力レベル計算部３４０は、アクセス用アンプ５０へ入力される合波信号に含まれる波長λ１の光信号及び波長λ２の光信号の入力レベルをそれぞれ決定する。このとき、出力レベル計算部３４０は、アクセス用アンプ５０から出力される波長λ１の光信号及び波長λ２の光信号の出力レベルがそれぞれ上記手順２によって決定されたＸ及びＹの値になるように、アクセス用アンプ５０へ入力される波長λ１の光信号及び波長λ２の光信号の入力レベル（入力信号強度）をそれぞれ決定する。ここで、アクセス用アンプ５０へ入力される波長λ１の光信号及び波長λ２の光信号の入力レベルをそれぞれｘ［ｍＷ］及びｙ［ｍＷ］とすれば、出力レベル計算部３４０は、例えば、以下の（２）式を満たすようにｘ及びｙの値を決定すればよい。
【００５５】
Ｘ：Ｙ＝ｘ：ｙ    ・・・（２）
【００５６】
このように、出力レベル計算部３４０は、波長λ１の光信号の出力レベルと波長λ２の光信号の出力レベルとの比に一致させるように、波長λ１の光信号の入力レベルと波長λ２の光信号の入力レベルとの比を制御することによって、アクセス用アンプ５０から出力される波長λ１の光信号の出力レベル及び波長λ２の光信号の出力レベルを、所望のＸ及びＹの値に制御することができる。
【００５７】
なお、上記の条件を満たす、ｘ及びｙの値の組み合わせは無数に存在しうる。但し、たとえどのようなｘ及びｙの値の組み合わせが用いられたとしても、ｘの値とｙの値との和がアクセス用アンプ５０における仕様上（又は設定上）の許容値を満たしているならば、アクセス用アンプ５０から出力される光信号（合波信号）の出力レベルのうち、波長λ１の光信号分の出力レベルは上記手順２によって決定されたＸの値となり、波長λ２の光信号分の出力レベルは上記手順２によって決定されたＹの値となる。したがって、問題は生じない。しかしながら、後述する手順４において、取得した波長λ１の光信号の入力レベル及び波長λ２の光信号の入力レベルを、この手順３によって決定されたｘ及びｙの値になるように調整する調整処理を行うことから、出力レベル調整部３５０における当該調整処理がより簡単に行えるようなｘ及びｙの値の組み合わせが用いられることが望ましい。
【００５８】
具体的には、調整処理として、受光信号に対する増幅又は減衰による調整処理を用いることができるが、増幅による調整を要する場合、一般的に減衰機能と比べて相対的に装置構成が複雑である増幅機能を、出力調整装置３０に対して具備させる必要が生じる。したがって、信号減衰のみで上記の調整処理を行うことができるような、ｘ及びｙの値の組み合わせを用いることが望ましい。
【００５９】
なお、信号減衰のみで上記の調整処理を行うことができるｘ及びｙの値の組み合わせに決定するための具体的な決定方法として、例えば、波長λ１の光信号の出力レベルＸと波長λ２の光信号の出力レベルＹとの和（Ｘ＋Ｙ）が、上記設定テーブルに設定された（Ａ）のパラメータのパラメータ値Ｚとなる条件を満たすとともに、ｘ＋ｙの値が、アクセス用アンプ５０における仕様上の入力レベルの最小値となるような方法を用いることができる。
【００６０】
このような調整方法を用いることによって、減衰機能のみで波長λ１及び波長λ２の光信号の出力レベルを調整できる可能性がより高くなるため、出力調整装置３０の装置構成の複雑化を回避し易くなる。
【００６１】
・手順４．調整量の算出
出力レベル計算部３４０は、アクセス用アンプ５０へ入力される波長λ１の光信号の入力レベルと波長λ２の光信号の入力レベルとを上記手順３によって決定されたｘの値とｙの値とそれぞれ等しくするために必要となる、波長λ１の光信号に対する信号レベルの調整量と波長λ２の光信号に対する信号レベルの調整量とをそれぞれ算出する。ここで、出力レベル計算部３４０は、受光レベル測定部３１２から取得した波長λ１の光信号の受光レベルの値、受光レベル測定部３２２から取得した波長λ２の受光レベルの値、及び、設定テーブル記憶部３３０から取得した上記（Ｄ）及び（Ｅ）のパラメータのパラメータ値を用いて、それぞれの調整量を算出する。出力レベル計算部３４０は、算出された波長λ１の光信号に対する信号レベルの調整量と波長λ２の光信号に対する信号レベルの調整量とを示す情報を、出力レベル調整部３５０へ出力する。
【００６２】
上述した手順１〜４によって、出力レベル計算部３４０は、光信号分岐部３１１を介して出力レベル調整部３５０へ入力される波長λ１の光信号に対して適用されるべき調整量、及び、光信号分岐部３２１を介して出力レベル調整部３５０へ入力される波長λ２の光信号に対して適用されるべき調整量を、それぞれ算出することができる。
【００６３】
なお、本実施形態では、放送用として、光送信部１２及び光送信部２２から波長λ１及び波長λ２の光信号がそれぞれ連続的にＦＴＴＨ型ＣＡＴＶシステム1に対して伝送される構成を想定している。しかし、出力調整装置３０における波長λ１の光信号の受光レベルと波長λ２の光信号の受光レベルとは常に一定であるとは限らず、一般的に、少なくとも受光レベルの微小な変動は常時生じうる。このような微小な変動に追従させるように、その都度、調整量を再計算させ、出力レベル調整部３５０による調整処理を制御させることは、出力調整装置３０における負荷等の観点から現実的ではない。
【００６４】
そこで、出力レベル計算部３４０は、例えば、受光レベル測定部３１２及び受光レベル測定部３２２からそれぞれ得られる、波長λ１の光信号の受光レベル及び波長λ２の光信号の受光レベルの値が微小な変動を伴っていたとしても、ある程度の変動は誤差の範囲内であるものとして許容し、それまでの時点における（すなわち、変動前の）調整量に基づく調整を継続するようにしてもよい。
【００６５】
具体的には、まず、許容範囲とする変動量の値が、例えば設定テーブル記憶部３３０又は出力レベル計算部３４０が備える記憶媒体（図示せず）等に予め設定される。例えば、許容範囲として±ΔＰ［ｍＷ］の値が予め設定される。次に、出力レベル計算部３４０は、受光レベル測定部３１２及び受光レベル測定部３２２から最初に通知される波長λ１の光信号の受光レベル（ここでは、Ｐ１［ｍＷ］とする。）と波長λ２の光信号の受光レベル（ここでは、Ｐ２［ｍＷ］とする。）とを基準レベルとして、調整量をそれぞれ算出する。そして、出力レベル計算部３４０は、各波長についての受光レベルの変動が「Ｐ１±ΔＰ」及び「Ｐ２±ΔＰ」を満たす範囲内であり続ける限りは、許容される変動であるものと見なし、上記の調整量の算出処理を実行しない。そして、出力レベル計算部３４０は、受光レベルの変動が許容範囲を超えた場合に限り、その時点での受光レベルの値を新たな基準レベルとして更新し（すなわち、上記Ｐ１及びＰ２の値を更新し）、更新された受光レベルの値を用いて調整量を再計算するようにしてもよい。
【００６６】
以上説明したように、本実施形態に係る出力調整装置３０によれば、入力された波長λ１の光信号及び波長λ２の光信号に対してそれぞれ適切な信号レベルの調整が施されて出力され、上述した所望のｘ及びｙの値の組み合わせとなる信号レベルの光信号がアクセス用アンプ５０へ入力される。そして、当該ｘとｙの値の組み合わせとなる信号レベルで光信号がアクセス用アンプ５０へ入力されるため、波長λ１の光信号及び波長λ２の光信号は、それぞれ上述した所望のＸ及びＹの値となる出力レベルでアクセス用アンプ５０から出力される。これにより、本実施形態に係る出力調整装置３０によれば、波長λ１の光信号及び波長λ２の光信号は、所望の配信エリア内の加入者宅内の各光受信部が受光可能な信号レベルで確実に伝送されるため、既存放送及び新４Ｋ・８Ｋ衛星放送の双方の放送を各視聴者に視聴させることを可能にする。
【００６７】
なお、本実施形態では、ＷＤＭフィルタ４０が出力調整装置３０の外部に備えられる構成であるものとしたが、出力調整装置３０がＷＤＭフィルタ４０を内蔵する構成にしてもよい。この場合、ＷＤＭフィルタ４０が有する機能（すなわち、波長λ１の光信号と波長λ２の光信号とを合波する機能）に相当する機能部は、図２に示す出力レベル調整部３５０の後段に備えられる。そして、ＷＤＭフィルタ４０によって合波された合波信号が、出力調整装置３０からアクセス用アンプ５０へ出力される。
【００６８】
＜第２の実施形態＞
以下、本発明の第２の実施形態について説明する。
図１に示した中継用アンプ１３及び中継用アンプ２３から出力調整装置３０へ送出される波長λ１の光信号及び波長λ２の光信号は、中継用アンプ１３及び中継用アンプ２３における信号増幅に伴う、広帯域なＡＳＥ（Amplified Spontaneous Emission；自然放射増幅光）雑音を含んでいる場合がある。
【００６９】
そして、図２に示した受光レベル測定部３１２及び受光レベル測定部３２２による測定の対象となる波長帯が、波長λ１又は波長λ２の波長帯だけでなく、当該波長帯の周囲の波長帯を含む広帯域の波長帯である場合、受光レベル測定部３１２及び受光レベル測定部３２２は、ＡＳＥ成分のみからなる波長帯の雑音のレベルまで、波長λ１又は波長λ２の光信号の受光レベルに含めて測定をしてしまうことになる。これにより、受光レベル測定部３１２及び受光レベル測定部３２２が、波長λ１又は波長λ２の光信号の信号レベルを正確に測定できない場合が生じる可能性がある。
【００７０】
この場合、図２に示した出力レベル計算部３４０へ通知される波長λ１及び波長λ２の光信号の受光レベルの値は、波長λ１及び波長λ２以外の波長帯域におけるＡＳＥ成分が含まれる分だけ過剰な値となる。これにより、出力レベル計算部３４０は、この過剰な値に基づいて調整量を算出してしまう。そして、図２に示した出力レベル調整部３５０は、算出された調整量に基づいて、波長λ１及び波長λ２以外の波長帯域におけるＡＳＥ成分を含んだ波長λ１及び波長λ２の光信号に対して信号レベルの調整を行う。なお、調整された光信号におけるＡＳＥ成分は、図１に示したＷＤＭフィルタ４０によって除去される。このような一連の処理によって、ＷＤＭフィルタ４０を通過し、図１に示したアクセス用アンプ５０へ入力される波長λ１及び波長λ２の光信号の入力レベル（すなわち、ｘ及びｙの値）は、アクセス用アンプ５０への所望の入力比を満たしていない（すなわち、上記（２）式を満たしていない）場合が生じうる。
【００７１】
上記のような事態を回避するため、本実施形態においては、受光レベル測定部３１２及び受光レベル測定部３２２による受光レベルの測定が行われる前に、予め、波長λ１及び波長λ２以外の波長帯の雑音（ＡＳＥ成分）の除去がなされる。
【００７２】
［出力調整装置の機能構成］
以下、本発明の第２の実施形態に係るＦＴＴＨ型ＣＡＴＶシステムの出力調整装置３０ｂの機能構成について説明する。図３は、出力調整装置３０ｂの機能構成を示すブロック図である。図３に示すように、出力調整装置３０ｂの機能構成は、図２に示した第１の実施形態に係る出力調整装置３０の機能構成に対し、雑音除去部３１０及び雑音除去部３２０を更に備えている点において相違する。なお、出力調整装置３０ｂに含まれる他の各機能ブロックが有する機能ついては、出力調整装置３０に含まれる機能ブロックが有する各機能とそれぞれ同等であるため、同一の符号を付し、説明を省略する。
【００７３】
雑音除去部３１０及び雑音除去部３２０は、例えばバンドパスフィルタ等の、所望の周波数帯の光信号のみを通過させ、その他の周波数帯の光信号を除去することができるフィルタ回路を含んで構成される。
【００７４】
雑音除去部３１０（第１のフィルタ）は、中継用アンプ１３から送出された既存放送用の光信号に対し、波長λ１の光信号のみを通過させ、波長λ１以外の周波数帯の雑音（ＡＳＥ成分）を除去する。これにより、雑音除去部３１０によってＡＳＥ成分が除去された光信号が、光信号分岐部３１１へ入力される。また、雑音除去部３２０（第２のフィルタ）は、中継用アンプ２３から送出された新４Ｋ・８Ｋ衛星放送用の光信号に対し、波長λ２の光信号のみを通過させ、波長λ２以外の周波数帯の雑音（ＡＳＥ成分）を除去する。これにより、雑音除去部３２０によってＡＳＥ成分が除去された光信号が、光信号分岐部３２１へ入力される。
【００７５】
上記説明したように、出力調整装置３０ｂが、雑音除去部３１０及び雑音除去部３２０を備えることにより、不要な波長帯の雑音（ＡＳＥ成分）が除去された波長λ１及び波長λ２の光信号がそれぞれ光信号分岐部３１１及び光信号分岐部３２１へ入力される。これにより、受光レベル測定部３１２及び受光レベル測定部３２２は、より正確に受光レベルを測定することができ、出力レベル計算部３４０は、より適切な調整量を算出することができ、出力レベル調整部３５０は、より適切な調整を行うことができる。
【００７６】
なお、本実施形態においては、出力調整装置３０ｂが、雑音除去部３１０及び雑音除去部３２０を備える構成であるものとしたが、これに限られるものではない。例えば、バンドパスフィルタ等のフィルタ回路が、出力調整装置３０ｂの外部に備えられる構成であってもよい。この場合、中継用アンプ１３と出力調整装置３０ｂとの間、及び、中継用アンプ２３と出力調整装置３０ｂとの間にそれぞれフィルタ回路が設置される。
【００７７】
＜第３の実施形態＞
以下、本発明の第３の実施形態について説明する。
上述した第１の実施形態及び第２の実施形態においては、既存放送に加えて更に新４Ｋ・８Ｋ衛星放送の配信及び視聴を実現するためのネットワーク構成として、図８に示したネットワーク構成を想定した。そして、当該ネットワーク構成において上記課題を解決するための出力調整装置３０及び出力調整装置３０ｂについて説明した。なお、図８に示したネットワーク構成は、既存の中継用アンプ１３が新４Ｋ・８Ｋ衛星放送には対応していない（すなわち、波長λ２の光信号には対応していない）場合であっても、既存放送に加えて新４Ｋ・８Ｋ衛星放送の配信及び視聴を実現可能にすることができるネットワーク構成である。
【００７８】
一方、本実施形態では、既存の中継用アンプが波長λ１の光信号及び波長λ２の光信号の双方に対応しており、かつ、既存の光伝送路において双方の光信号が所望の信号レベルでアクセス用アンプまで到達可能なネットワーク構成であることを想定する。そして、当該ネットワーク構成において、既存放送に加えて更に新４Ｋ・８Ｋ衛星放送の配信及び視聴を実現可能にするＦＴＴＨ型ＣＡＴＶシステムについて説明する。
【００７９】
図４は、本実施形態において想定するネットワーク構成の一例を示すブロック図である。図４に示すネットワーク構成では、図８に示したネットワーク構成とは異なり、中継用アンプが波長λ１の光信号及び波長λ２の光信号の双方に対応していることから、中継用アンプの前段の位置にＷＤＭフィルタを設置可能である。これにより、図４に示すように、中継用アンプには、ＷＤＭフィルタによって合波がなされた光信号（合波信号）が入力される。このようなネットワーク構成にすることにより、新４Ｋ・８Ｋ衛星放送への対応がなされる際に、新たな中継用アンプを設置する必要がない。そのため、図４に示すネットワーク構成では、図８に示したネットワーク構成と比べて、新たに設置される機器の設置コスト等が低減される。
【００８０】
但し、図４に示すネットワーク構成のままでは、上述した第１の実施形態及び第２の実施形態と同様の課題（すなわち、視聴者が既存放送又は新４Ｋ・８Ｋ衛星放送を視聴することができなくなる課題）が生じうる。したがって、本実施形態では、当該課題を解決するため、図４に示すネットワーク構成に対して出力調整装置を設置する場合について説明する。
【００８１】
［ネットワーク構成］
以下、本発明の第３の実施形態に係る、新４Ｋ・８Ｋ衛星放送に対応したＦＴＴＨ型ＣＡＴＶシステム１ｃのネットワーク構成について説明する。図５は、当該ネットワーク構成の一例を示すブロック図である。上述した第１の実施形態及び第２の実施形態と同様に、アクセス用アンプ５０の前段に出力調整装置３０ｃが設置される。但し、図５に示すように、本実施形態では、中継ＮＷにおいて波長λ１の光信号と波長λ２の光信号とが合波された合波信号が出力調整装置３０ｃへ伝送される。そのため、出力調整装置３０ｃに対して入出力がなされる光信号は、いずれも波長λ１の光信号と波長λ２の光信号とが合波された合波信号である。
【００８２】
以下、本発明の第３の実施形態に係るＦＴＴＨ型ＣＡＴＶシステム１ｃの出力調整装置３０ｃの機能構成について説明する。図６は、出力調整装置３０ｃの機能構成を示すブロック図である。図６に示すように、出力調整装置３０ｃの機能構成は、図２に示した第１の実施形態に係る出力調整装置３０の機能構成に対し、分離部３００及び合波部３６０を更に備えている点において相違する。なお、出力調整装置３０ｃに含まれる他の各機能ブロックが有する各機能ついては、出力調整装置３０に含まれる各機能ブロックが有する機能と同等であるため、同一の符号を付し、説明を省略する。
【００８３】
分離部３００は、例えばＷＤＭフィルタ等の、光信号を分離することができるフィルタ回路を含んで構成される。分離部３００は、中継用アンプ１３ｃから送出された合波信号を、波長λ１の光信号と波長λ２の光信号とに分離する。そして、分離部３００は、波長λ１の光信号を光信号分岐部３１１へ送出し、波長λ２の光信号を光信号分岐部３２１へ送出する。
【００８４】
合波部３６０は、例えばＷＤＭフィルタ等の、光信号を合波することができるフィルタ回路を含んで構成される。合波部３６０は、出力レベル調整部３５０から送出された波長λ１の調整済みの光信号と波長λ２の調整済みの光信号とを合波する。そして、合波部３６０は、合波信号をアクセス用アンプ５０へ送出する。
【００８５】
このように本実施形態においては、出力調整装置３０ｃは、入力された合波信号を、まず分離部３００（例えばＷＤＭフィルタ）により波長λ１の光信号と波長λ２の光信号とに分離する。出力調整装置３０ｃは、分離された双方の光信号の信号レベルの調整をそれぞれ行う。そして、出力調整装置３０ｃは、調整済みの双方の光信号を再び合波部３６０（例えばＷＤＭフィルタ）によって合波し、合波信号を出力する。
【００８６】
以上説明したように、上述した各実施形態に係るＦＴＴＨ型ＣＡＴＶシステムは、波長λ１の光信号と波長λ２の光信号とを取得し、双方の光信号の信号レベルを調整して出力する出力調整装置を備える。出力調整装置は、アクセス用アンプから出力されるべき波長λ１の光信号及び波長λ２の光信号それぞれの所望の出力レベルを把握している。そして、出力調整装置は、アクセス用アンプにおける波長λ１の光信号の出力レベルと波長λ２の光信号の出力レベルとがそれぞれ当該所望の出力レベルとなるように、アクセス用アンプへの波長λ１及び波長λ２の光信号の所望の入力レベルをそれぞれ決定する。そして、出力調整装置は、アクセス用アンプへ入力される光信号の入力レベルが当該所望の入力レベルとなるように、中継用アンプからの波長λ１及び波長λ２の光信号の信号レベルをそれぞれ監視し、必要に応じて当該信号レベルを調整してアクセス用アンプへ光信号を出力する。
【００８７】
ＦＴＴＨ型ＣＡＴＶシステムに対して上記のような構成を備える出力調整装置が設けられることにより、アクセス用アンプは、それぞれ所望の出力レベルを有する波長λ１及び波長λ２の光信号が合波された、一定の合計出力レベルの光信号（合波信号）を出力することができる。この波長λ１及び波長λ２の光信号それぞれの所望の出力レベルは、加入者宅の光受信部において各光信号をそれぞれ適切に受光するために十分な出力レベルであるように制御されていることから、視聴者は、既存放送及び新４Ｋ・８Ｋ衛星放送の双方を確実に視聴することができる。
【００８８】
なお、本発明においては、既存のアクセス用アンプに対して、新４Ｋ・８Ｋ衛星放送用の（波長λ２の）光信号が新たに追加で入力されることを想定している。そのため、上述したように、アクセス用アンプから出力される波長λ１の光信号分の出力レベルが、従来（すなわち、既存放送のみを視聴する場合）よりも低下することは避けられない。したがって、本発明では、出力調整装置による調整の有無にかかわらず、波長λ１の光信号分の出力レベルが従来より低下することを前提としている。
【００８９】
上述した実施形態における出力調整装置３０（３０ｂ，３０ｃ）が備える設定テーブル記憶部３３０及び出力レベル計算部３４０の一部又は全部を、コンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、上述した機能の一部を実現するためのものであっても良く、更に上述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００９０】
以上、図面を参照して本発明の実施形態を説明してきたが、上記実施形態は本発明の例示に過ぎず、本発明が上記実施形態に限定されるものではないことは明らかである。したがって、本発明の技術思想及び要旨を逸脱しない範囲で構成要素の追加、省略、置換、及びその他の変更を行ってもよい。
【符号の説明】
【００９１】
１，１ｃ…ＦＴＴＨ型ＣＡＴＶシステム、１１，２１…ヘッドエンド、１２，２２…光送信部、１３，１３ｃ，２３…中継用アンプ、３０，３０ｂ，３０ｃ…出力調整装置、４０…ＷＤＭフィルタ、５０…アクセス用アンプ、６１，６２…光受信部、７０…光伝送路、７１・・・中継ＮＷ、７２・・・アクセスＮＷ、３００…分離部、３１０，３２０…雑音除去部、３１１，３２１…光信号分岐部、３１２，３２２…受光レベル測定部、３３０…設定テーブル記憶部、３４０…出力レベル計算部、３５０…出力レベル調整部、３６０…合波部
【図１】
2020127072.tif 000003
【図２】
2020127072.tif 000004
【図３】
2020127072.tif 000005
【図４】
2020127072.tif 000006
【図５】
2020127072.tif 000007
【図６】
2020127072.tif 000008
【図７】
2020127072.tif 000009
【図８】
2020127072.tif 000010